(57)【要約】【課題】上下に長い支柱の鉛直度とガイドレールの全領域にわたる上下方向の真直度を確保する。【解決手段】基礎２１に設置されたベース盤１９から立上がる上下に長い支柱５と、その支柱５に沿って設けられた上下に長いガイドレール３と、前記支柱５に設けられた支持部材４５に載置セットされ母材７が炉心Ｑ１，Ｑ２に沿って上下に通過可能な加熱炉９と、その加熱炉９を挟んで上方に母材７の上端を支持する上部チャック１１と、母材７の下端を支持する下部チャック１３とで構成する一方、前記基礎２１からの鉛直軸線に対して前記支柱５の前後、左右の倒れ角を修正する支柱倒れ角修正手段２５と、前記ガイドレール３の全領域にわたって真直ぐに調整するガイドレール調整手段２９とを備えるようにする。【選択図】図１
2005289741.tif 000002
【特許請求の範囲】
【請求項１】
基礎に設置されたベース盤から立上がる上下に長い支柱と、その支柱に沿って設けられた上下に長いガイドレールと、前記支柱に設けられた支持部材に載置セットされ母材が炉心に沿って上下に通過可能な加熱炉と、前記ガイドレールにより昇降自在に支持され前記加熱炉の上方で母材の上端を支持する上部チャックと、前記ガイドレールにより昇降自在に支持され前記加熱炉の下方で母材の下端を支持する下部チャックと、前記基礎からの鉛直軸線に対して前記支柱の前後、左右の倒れ角を修正する支柱倒れ角修正手段と、前記ガイドレールの全領域にわたって真直ぐに調整するガイドレール調整手段とからなることを特徴とする光ファイバ用母材の延伸装置。
【請求項２】
前記加熱炉は、前記上部チャックと下部チャックとを結ぶ軸心線に対して前記加熱炉の炉心を一致させる加熱炉調芯手段を備えていることを特徴とする請求項１記載の光ファイバ用母材の延伸装置。
【発明の詳細な説明】
【技術分野】
【０００１】
本発明は、所定の太さに作られた光ファイバ用母材を加熱しながら希望する径まで引き伸ばす光ファイバ用母材の延伸装置に関する。
【背景技術】
【０００２】
光ファイバ用母材（以下、母材と称す）を加熱しながら所定の径に引き伸ばす延伸装置の概要は、上下に長いガイドレールを有する支柱のほぼ中間部位に上下に通過させながら母材を加熱する加熱炉が設けられ、その加熱炉の上方に母材の上端を支持する上部チャックが、加熱炉の下方に母材の下端を支持する下部チャックがそれぞれ配置されている。上部チャック及び下部チャックは前記ガイドレールに沿って昇降自在に支持されており、例えば、上部チャックに対して下部チャックの下降速度を速くする速度差により、加熱によって軟化させた母材に対して引張り力を与えることで、例えば、所定の径に引伸ばされたファイバロッドが得られるようになっている。
【０００３】
この場合、ファイバロッドは、曲がりが生じたり、波打ち状態が発生すると線引き時における作業性や光ファイバのファイバ特性の安定性を大きく損なう要因となるので、真直ぐなファイバロッドを作ることが不可欠となっている。
【０００４】
ファイバロッドに曲がりが生じる原因としては、各種の条件が考えられるが、一番には、上部チャックと下部チャックの軸心に狂いがあると垂直な引張り力を与えることができなくなるところから、その上部チャックと下部チャックの軸心を原器を用いて正しく位置合せするガラス母材延伸装置の調整方法の手段が公知となっている。
【特許文献１】特許第３４３７４８０号公報
【発明の開示】
【発明が解決しようとする課題】
【０００５】
原器を用いる調整方法は、原理的には上部チャックと下部チャックの軸心が一致する鉛直度の調整は可能となる。反面、上部チャックと下部チャックを昇降自在に支持する支柱は、例えば、建屋の４階近くまで延長される上下に長い形状となっているため、鉛直度とは別にガイドレールの全領域にわたる垂直精度が求められる。
【０００６】
ガイドレールは、上部チャック及び下部チャックを全領域にわたって垂直にガイドする役目を有するが、加工精度や支柱への組付け精度の誤差等によって狂いが発生したとしても、従来の調整方法では、一点調整のために、例えば、測定場所がたまたま、狂いが発生した領域外であった場合にはその狂いは検出されず、それが正しい、として認識されてしまう不具合いが起きる。
【０００７】
また、従来の調整方法は、加熱炉との関係について何等触れられていないが、母材は加熱炉の炉心に対して偏心することなく正しく通過させる必要がある。母材の通過時に、炉心に対して狂いがあると、母材はヒータ等の加熱面に片寄り、加熱面に近ずく母材表面温度は高くなる。この結果、加熱による母材表面の軟化、流動性にバラツキが起きて、コアが偏心したり、波打ち等の問題が生じる。
【０００８】
そこで、本発明は、前記問題の解消を図った光ファイバ用母材の延伸装置を提供することを目的としている。
【課題を解決するための手段】
【０００９】
前記目的を達成するために、本発明にあっては、基礎に設置されたベース盤から立上がる上下に長い支柱と、その支柱に沿って設けられた上下に長いガイドレールと、前記支柱に設けられた支持部材に載置セットされ母材が炉心に沿って上下に通過可能な加熱炉と、前記ガイドレールにより昇降自在に支持され前記加熱炉の上方で母材の上端を支持する上部チャックと、前記ガイドレールにより昇降自在に支持され前記加熱炉の下方で母材の下端を支持する下部チャックと、前記基礎からの鉛直軸線に対して前記支柱の前後、左右の倒れ角を修正する支柱倒れ角修正手段と、前記ガイドレールの全領域にわたって垂直状態に調整するガイドレール調整手段とからなることを特徴とする。
【発明の効果】
【００１０】
本発明によれば、延伸装置の据付け設置時又はメンテナンス時に、支柱倒れ角修正手段によって、基準となる支柱の前後、左右の倒れ角の修正が可能となり、倒れ角のない上下に長い支柱の正しい鉛直後を得ることができる。
【００１１】
この状態において、支柱に取付けられたガイドレールの一部分に取付け位置の狂いによって湾曲する領域が発生しても、ガイドレール調整手段によってその湾曲領域を垂直な状態に調整することができる。この結果、ガイドレールの正確な垂直精度が確保され上部チャック、下部チャックを全領域にわたって正しくガイドできるようになる。
【発明を実施するための最良の形態】
【００１２】
本発明は、前記加熱炉に、前記上部チャックと下部チャックとを結ぶ軸心線に対して前記加熱炉の炉心を一致させる加熱炉調芯手段を備え、母材を炉心に沿って正しく通過させるようにする。
【実施例１】
【００１３】
以下、図１乃至図８の図面を参照しながらこの発明の実施の形態について具体的に説明する。
【００１４】
図１は本発明にかかる光ファイバ用母材（以下、母材と称す）の延伸装置の概要説明図を示している。
【００１５】
延伸装置１は、ガイドレール３が設けられた上下に長い支柱５に母材７を加熱する加熱炉９と、加熱炉９の上方に位置し前記母材７の上端を支持する昇降可能な上部チャック１１と前記加熱炉９の下方に位置し前記母材７の下端を支持する昇降可能な下部チャック１３とを備えている。
【００１６】
支柱５は、上下に分割可能な上部コラム１５と下部コラム１７とで構成され、上部コラム１５のフランジ部１５ａと下部コラム１７のフランジ部１７ａは上下一体に重ね合せ結合されている。
【００１７】
支柱５を構成する下部コラム１７の下端部は、所定の設置面積を備えたベース盤１９に固定支持されている。
【００１８】
ベース盤１９は、基礎２１に対して複数の固定ボルト２３により固定され、支柱倒れ角修正手段２５によって支柱５は基礎２１に対する鉛直軸線に対して前後、左右傾きのない鉛直度が確保された構造となっている。
【００１９】
支柱倒れ角修正手段２５は、前記支柱５の上端から重りのついた糸を垂らし、その系に対する支柱５の前後、左右の倒れ角、例えば、支柱５に設けられた測定ガイドとのずれ量をスケースをあてながら目視によって測定することで、支柱５の倒れ角がわかるから、支柱５が例えば、前方に傾いているときには、その傾き側となる基礎２１とベース１９との間に調整板２７をかませることで、その傾きを修正するようになっている。
【００２０】
調整板２７は、１０ｃｍ四方の大きさに形成され厚みの異なるものが多数用意されていて、傾きの度合いに対応して調整板２７を選択して使用することで傾き角の調整が可能となる。
【００２１】
なお、支柱５の傾きは目視による測定となっているが、レーザポインタ等の測定器を用いることで良り正確な測定が可能となる。
【００２２】
一方、ガイドレール３は、図３から図５に示すように前記支柱５の仕上げ面に沿って上下方向に取付けられ、ガイドレール調整手段２９によってガイドレール全領域にわたって湾曲のない真直ぐな垂直精度が確保された構造となっている。
【００２３】
ガイドレール調整手段２９は、前記支柱５の仕上げ面に沿って所定の間隔で設けられた取付孔３１とその取付孔３１に螺合される固定ねじ３３との関係によって構成されている。
【００２４】
取付孔３１は上下方向に長いガイドレール３に対して直交する長孔となっていて、固定ねじ３３を弛めた状態において例えば、図４仮装線で示すように図面左方へ向かって湾曲が認められる場合には、その部位のガイドレール３をＦ方向から例えば、ハンマ等で軽く叩くことで取付け位置の位置調整が可能となる。
【００２５】
位置調整の場所を見つけるには、例えば、図３に示すように軸線の直線性が全長にわたって保証された原器となる芯出し棒３５を上部チャック１１に把持させる一方、上部コラム１５にセットしたダイヤルゲージ３７の測定子３７を前記芯出し棒３５に接触させた後、上部チャック１１をガイドレール３に沿って走行させながら、その走行中の偏位量をダイヤルゲージ３７を見ながらチェックすることで、大きく狂った偏位位置がわかるようになる。
【００２６】
同様に下部チャック１３についても前記と同じ位置調整作業を行なうことで、位置調整の場所を見つけることが可能となるから、固定ねじ３３を弛めた状態において偏位したガイドレール３の場所をハンマ等で軽く叩くことで取付孔３１の範囲内において位置修正が可能となり、上下に長いガイドレール３の真直ぐな垂直精度が確保されるようになる。
【００２７】
一方、加熱炉９は、図６、図７、図８に示すようにシャッタ（目示していない）を備えた上方開放口３９と下方開放口４１を有し、その上方開放口３９及び下方開放口４１を介して上下に貫通する母材７を（図１鎖線）を全周面から加熱するヒータ４３が設けられ、支持部材４５の上面に載置セットされている。支持部材４５は、上部コラム１５と下部コラム１７の各フランジ部１５ａ，１７ａが一体に重ね合せ結合されたそのフランジ部を利用した構造となっている。
【００２８】
加熱炉９の炉心Ｑ１，Ｑ２は、加熱炉調芯手段４７によって上部チャック１１と下部チャック１３とを結ぶ軸心線Ｘと一致し合う構造となっている。
【００２９】
加熱炉調芯手段４７は、前記加熱炉９が載置セットされた支持部材４５に固着されたねじ孔４９を有するＬ形の取付け金具５１を少なくとも前記加熱炉９の周囲３点に配置し、その取付け金具５１のねじ孔４９に調整ボルト５３を螺合し、その調整ボルト５３の先端を前記加熱炉９の周壁に三方向から当接させてある。
【００３０】
したがって、予め３箇所の調整ボルト５３を加熱炉９の周壁から後退させておき、炉心Ｑ１，Ｑ２の位置ずれに対して各調整ボルト５３を前進させながら加熱炉９の炉心Ｑ１，Ｑ２の位置合せを行なうことで、三点による位置合せ調整が可能となる。
【００３１】
この場合、上部チャック１１と下部チャック１３を結ぶ軸心線Ｘに対して加熱炉９の炉心Ｑ１，Ｑ２の位置ずれを見つけるには、例えば、図７に示すように軸線の直線性が全長にわたって保証された原器となる芯出し棒３５を前記加熱炉９内を貫通させ、その芯出し棒３５の上端を上部チャック１１で、芯出し棒３５の下端を下部チャック１３でそれぞれ挟持し、その時の芯出し棒３５と例えば、図８に示すように上方開放口３９、下方開放口４１に対する同心度をスケール等で測定することでわかるようになる。この時、軸心線Ｘに対するＱ１，Ｑ２を結ぶ線に傾きがみつかった時には、加熱炉９の底部に調整板をはさみ、Ｑ１，Ｑ２の２箇所を通る直線が原器となる芯出し棒３５と平行になるよう調整を行なう。
【００３２】
このように構成された延伸装置１によれば、延伸装置１の設定時、あるいは、定期点検時において、上下に長い支柱５に傾きがある場合には、基礎２１とベース盤１９との間に調整板２７をかます支柱倒れ角修正手段２５によってメインの柱となる前記支柱５は倒れ角のない鉛直状態が得られる。
【００３３】
また、上下に長いガイドレール３の一部分に、取付け位置の狂い等の条件によって湾曲した領域が発生しても、ガイドレール調整手段２９となる取付孔３１に螺合された固定ねじ３３を弛めることで、ガイドレール３の位置修正が可能となる。このため、前記支柱５の鉛直度と相俟って湾曲のない真直ぐなガイドレール３の垂直精度が確保され、上部チャック１１、下部チャック１３を垂直に精度よくガイドすることができる。
【００３４】
また、加熱炉９の炉心Ｑ１，Ｑ２と上部及び下部チャック１１，１３を結ぶ軸心線Ｘとに狂いが生じた場合には、加熱炉調芯手段４７によって加熱炉９の炉心Ｑ１，Ｑ２を正しく位置合せすることが可能となり、片寄りを起こすことなく母材７を全周面から均一に加熱することができる。
【図面の簡単な説明】
【００３５】
【図１】本発明にかかる光ファイバ用母材の延伸装置の概要説明図。
【図２】ベース盤を上方からみた概要説明図。
【図３】ガイドレールの垂直状態を測定する測定手段を示した説明図。
【図４】支柱に対するガイドレールの取付け状態を示した概要説明図。
【図５】ガイドレール調整手段となる取付孔と固定ボルトの関係を示した概要説明図。
【図６】加熱炉の加熱炉調芯手段を示した概要平面図。
【図７】上部チャック及び下部チャックを結ぶ軸心線に対して加熱炉の炉心を正しく位置合せする測定手段を示した説明図。
【図８】加熱炉を上方から見た測定時の説明図。
【符号の説明】
【００３６】
３…ガイドレール
５…支柱
７…光ファイバ母材
９…加熱炉
１１…上部チャック
１３…下部チャック
１９…ベース盤
２１…基礎
２５…支柱倒れ角修正手段
２９…ガイドレール調整手段
４７…加熱炉調芯手段
Ｑ１，Ｑ２…炉心
【図１】
2005289741.tif 000003
【図２】
2005289741.tif 000004
【図３】
2005289741.tif 000005
【図４】
2005289741.tif 000006
【図５】
2005289741.tif 000007
【図６】
2005289741.tif 000008
【図７】
2005289741.tif 000009
【図８】
2005289741.tif 000010